(57)【特許請求の範囲】
【請求項１】
ドアを有する通路を形成している本体部に通行者が利用券としての記録媒体を投入したとき、前記記録媒体の記録内容を読み取り、その読み取り結果により前記ドアを開閉して前記通行者の通過を許可または阻止すると共に、前記記録媒体のうち排出すべき記録媒体を前記本体部から排出する自動改札装置システムにおいて、
前記本体部に前記通行者によって前記利用券としての記録媒体の投入がなされたとき、前記記録媒体の記録内容を読み取る読取手段と、
前記本体部から排出された前記排出すべき記録媒体を前記通行者が取り忘れたとき、前記排出すべき記録媒体を取り忘れ記録媒体として所定の集札部に集札する集札手段と、
前記集札手段による前記所定の集札部への前記取り忘れ記録媒体に対する集札処理の発生を検知する検知手段と、
この検知手段によって前記取り忘れ記録媒体に対する集札処理の発生が検知されたとき、前記読取手段によって読み取られた前記取り忘れ記録媒体の記録内容を記憶する記憶手段と、
前記取り忘れ記録媒体に対する取り忘れ申告があったとき、前記記憶手段に記憶されている前記取り忘れ記録媒体の記録内容に基づいて該当する取り忘れ記録媒体を検索する検索手段と、
この検索手段によって検索された該当する取り忘れ記録媒体に関する情報に基づいて前記取り忘れ記録媒体を集札している前記所定の集札部から前記該当する取り忘れ記録媒体を取り出して前記本体部から再排出する排出手段と、
を具備したことを特徴とする自動改札装置システム。
【請求項２】
ドアを有する通路を形成している本体部に通行者が利用券としての記録媒体を投入したとき、前記記録媒体の記録内容を読み取り、その読み取り結果により前記ドアを開閉して前記通行者の通過を許可または阻止すると共に、前記記録媒体のうち排出すべき記録媒体を前記本体部から排出する自動改札装置システムにおいて、
前記本体部に前記通行者によって前記利用券としての記録媒体の投入がなされたとき、前記記録媒体の記録内容を読み取る読取手段と、
前記本体部から排出された前記排出すべき記録媒体を前記通行者が取り忘れたとき、前記排出すべき記録媒体を取り忘れ記録媒体として所定の集札部に集札する集札手段と、
前記集札手段による前記所定の集札部への前記取り忘れ記録媒体に対する集札処理の発生を検知する検知手段と、
この検知手段によって前記取り忘れ記録媒体に対する集札処理の発生が検知されたとき、前記読取手段によって読み取られた前記取り忘れ記録媒体の記録内容を記憶する記憶手段と、
前記取り忘れ記録媒体に対する取り忘れ申告があったとき、前記記憶手段に記憶されている前記取り忘れ記録媒体の記録内容を時系列形式として表示する表示手段と、
この表示手段によって時系列形式として表示される前記取り忘れ記録媒体の記録内容に基づいて該当する取り忘れ記録媒体を検索する検索手段と、
この検索手段によって検索された該当する取り忘れ記録媒体に関する情報に基づいて前記取り忘れ記録媒体を集札している前記所定の集札部から前記該当する取り忘れ記録媒体を取り出して前記本体部から再排出する排出手段と、
を具備したことを特徴とする自動改札装置システム。
【請求項３】
ドアを有する通路を形成している本体部に通行者が利用券としての記録媒体を投入したとき、前記記録媒体の記録内容を読み取り、その読み取り結果により前記ドアを開閉して前記通行者の通過を許可または阻止すると共に、前記記録媒体のうち排出すべき記録媒体を前記本体部から排出する自動改札装置システムにおいて、
前記本体部に前記通行者によって前記利用券としての記録媒体の投入がなされたとき、前記記録媒体の記録内容を読み取る読取手段と、
前記本体部から排出された前記排出すべき記録媒体を前記通行者が取り忘れたとき、前記排出すべき記録媒体を取り忘れ記録媒体として所定の集札部に集札する集札手段と、
前記集札手段による前記所定の集札部への前記取り忘れ記録媒体に対する集札処理の発生を検知する検知手段と、
この検知手段によって前記取り忘れ記録媒体に対する集札処理の発生が検知されたとき、前記読取手段によって読み取られた前記取り忘れ記録媒体の記録内容を記憶する記憶手段と、
前記取り忘れ記録媒体に対する取り忘れ申告があったとき、前記記憶手段に記憶されている前記取り忘れ記録媒体の記録内容を時系列形式として係員に表示する係員用表示手段と、
前記取り忘れ記録媒体に対する取り忘れ申告があったとき、前記記憶手段に記憶されている前記取り忘れ記録媒体の記録内容を時系列形式として前記通行者に表示する通行者用表示手段と、
前記係員用表示手段及び前記通行者用表示手段によって時系列形式として表示される少なくとも一方の前記取り忘れ記録媒体の記録内容に基づいて該当する取り忘れ記録媒体を検索する検索手段と、
この検索手段によって検索された該当する取り忘れ記録媒体に関する情報に基づいて前記取り忘れ記録媒体を集札している前記所定の集札部から前記該当する取り忘れ記録媒体を取り出して前記本体部から再排出する排出手段と、
を具備したことを特徴とする自動改札装置システム。
【請求項４】
それぞれ、ドアを有する通路を形成している本体部に通行者が利用券としての記録媒体を投入したとき、前記記録媒体の記録内容を読み取り、その読み取り結果により前記ドアを開閉して前記通行者の通過を許可または阻止すると共に、前記記録媒体のうち排出すべき記録媒体を前記本体部から排出する複数の自動改札装置と、この複数の自動改札装置を監視する係員監視盤とを有する自動改札装置システムにおいて、
前記本体部に前記通行者によって前記利用券としての記録媒体の投入がなされたとき、前記記録媒体の記録内容を読み取る読取手段と、
前記本体部から排出された前記排出すべき記録媒体を前記通行者が取り忘れたとき、前記排出すべき記録媒体を取り忘れ記録媒体として所定の集札部に集札する集札手段と、
前記集札手段による前記所定の集札部への前記取り忘れ記録媒体に対する集札処理の発生を検知する検知手段と、
この検知手段によって前記取り忘れ記録媒体に対する集札処理の発生が検知されたとき、前記読取手段によって読み取られた前記取り忘れ記録媒体の記録内容を前記係員監視盤に伝送する第１の伝送手段と、
この第１の伝送手段によって伝送される前記取り忘れ記録媒体の記録内容を記憶する記憶手段と、
前記取り忘れ記録媒体に対する取り忘れ申告があったとき、前記記憶手段に記憶されている前記取り忘れ記録媒体の記録内容に基づいて該当する取り忘れ記録媒体を検索する検索手段と、
この検索手段によって検索された該当する取り忘れ記録媒体に関する情報を前記複数の自動改札装置のうち所定の自動改札装置に伝送する第２の伝送手段と、
この第２の伝送手段によって伝送される前記該当する取り忘れ記録媒体に関する情報に基づいて前記取り忘れ記録媒体を集札している前記所定の集札部から前記該当する取り忘れ記録媒体を取り出して前記本体部から再排出する排出手段と、
を具備したことを特徴とする自動改札装置システム。
【請求項５】
それぞれ、ドアを有する通路を形成している本体部に通行者が利用券としての記録媒体を投入したとき、前記記録媒体の記録内容を読み取り、その読み取り結果により前記ドアを開閉して前記通行者の通過を許可または阻止すると共に、前記記録媒体のうち排出すべき記録媒体を前記本体部から排出する複数の自動改札装置と、この複数の自動改札装置を監視する係員監視盤とを有する自動改札装置システムにおいて、
前記本体部に前記通行者によって前記利用券としての記録媒体の投入がなされたとき、前記記録媒体の記録内容を読み取る読取手段と、
前記本体部から排出された前記排出すべき記録媒体を前記通行者が取り忘れたとき、前記排出すべき記録媒体を取り忘れ記録媒体として所定の集札部に集札する集札手段と、
前記集札手段による前記所定の集札部への前記取り忘れ記録媒体に対する集札処理の発生を検知する検知手段と、
この検知手段によって前記取り忘れ記録媒体に対する集札処理の発生が検知されたとき、前記読取手段によって読み取られた前記取り忘れ記録媒体の記録内容を前記係員監視盤に伝送する第１の伝送手段と、
この第１の伝送手段によって伝送される前記取り忘れ記録媒体の記録内容を記憶する記憶手段と、
前記取り忘れ記録媒体に対する取り忘れ申告があったとき、前記記憶手段に記憶されている前記取り忘れ記録媒体の記録内容に基づいて該当する取り忘れ記録媒体を検索する検索手段と、
この検索手段によって検索された該当する取り忘れ記録媒体に関する情報を前記複数の自動改札装置のうち所定の自動改札装置に伝送する第２の伝送手段と、
この第２の伝送手段によって伝送される前記該当する取り忘れ記録媒体に関する情報に基づいて前記取り忘れ記録媒体を集札している前記所定の集札部から前記該当する取り忘れ記録媒体の前までの記録媒体を別の集札部に移動させながら、前記該当する取り忘れ記録媒体を取り出して前記本体部から再排出する排出手段と、
を具備したことを特徴とする自動改札装置システム。
【請求項６】
それぞれ、ドアを有する通路を形成している本体部に通行者が利用券としての記録媒体を投入したとき、前記記録媒体の記録内容を読み取り、その読み取り結果により前記ドアを開閉して前記通行者の通過を許可または阻止すると共に、前記記録媒体のうち排出すべき記録媒体を前記本体部から排出する複数の自動改札装置と、この複数の自動改札装置を監視する係員監視盤とを有する自動改札装置システムにおいて、
前記本体部に前記通行者によって前記利用券としての記録媒体の投入がなされたとき、前記記録媒体の記録内容を読み取る読取手段と、
前記本体部から排出された前記排出すべき記録媒体を前記通行者が取り忘れたとき、前記排出すべき記録媒体を取り忘れ記録媒体として所定の集札部に集札する集札手段と、
前記集札手段による前記所定の集札部への前記取り忘れ記録媒体に対する集札処理の発生を検知する検知手段と、
この検知手段によって前記取り忘れ記録媒体に対する集札処理の発生が検知されたとき、前記読取手段によって読み取られた前記取り忘れ記録媒体の記録内容を前記係員監視盤に伝送する第１の伝送手段と、
この第１の伝送手段によって伝送される前記取り忘れ記録媒体の記録内容を記憶する記憶手段と、
前記取り忘れ記録媒体に対する取り忘れ申告があったとき、前記記憶手段に記憶されている前記取り忘れ記録媒体の記録内容を時系列形式として表示する表示手段と、
この表示手段によって時系列形式として表示される前記取り忘れ記録媒体の記録内容に基づいて該当する取り忘れ記録媒体を検索する検索手段と、
この検索手段によって検索された該当する取り忘れ記録媒体に関する情報を前記複数の自動改札装置のうち所定の自動改札装置に伝送する第２の伝送手段と、
この第２の伝送手段によって伝送される前記該当する取り忘れ記録媒体に関する情報に基づいて前記取り忘れ記録媒体を集札している前記所定の集札部から前記該当する取り忘れ記録媒体の前までの記録媒体を別の集札部に移動させながら、前記該当する取り忘れ記録媒体を取り出して前記本体部から再排出する排出手段と、
を具備したことを特徴とする自動改札装置システム。
【請求項７】
それぞれ、ドアを有する通路を形成している本体部に通行者が利用券としての記録媒体を投入したとき、前記記録媒体の記録内容を読み取り、その読み取り結果により前記ドアを開閉して前記通行者の通過を許可または阻止すると共に、前記記録媒体のうち排出すべき記録媒体を前記本体部から排出する複数の自動改札装置と、この複数の自動改札装置を監視する係員監視盤とを有する自動改札装置システムにおいて、
前記本体部に前記通行者によって前記利用券としての記録媒体の投入がなされたとき、前記記録媒体の記録内容を読み取る読取手段と、
前記本体部から排出された前記排出すべき記録媒体を前記通行者が取り忘れたとき、前記排出すべき記録媒体を取り忘れ記録媒体として所定の集札部に集札する集札手段と、
前記集札手段による前記所定の集札部への前記取り忘れ記録媒体に対する集札処理の発生を検知する検知手段と、
この検知手段によって前記取り忘れ記録媒体に対する集札処理の発生が検知されたとき、前記読取手段によって読み取られた前記取り忘れ記録媒体の記録内容を前記係員監視盤に伝送する第１の伝送手段と、
この第１の伝送手段によって伝送される前記取り忘れ記録媒体の記録内容を記憶する記憶手段と、
前記取り忘れ記録媒体に対する取り忘れ申告があったとき、前記記憶手段に記憶されている前記取り忘れ記録媒体の記録内容を時系列形式として係員に表示する係員用表示手段と、
前記取り忘れ記録媒体に対する取り忘れ申告があったとき、前記記憶手段に記憶されている前記取り忘れ記録媒体の記録内容を時系列形式として前記通行者に表示する通行者用表示手段と、
前記係員用表示手段及び前記通行者用表示手段によって時系列形式として表示される少なくとも一方の前記取り忘れ記録媒体の記録内容に基づいて該当する取り忘れ記録媒体を検索する検索手段と、
この検索手段によって検索された該当する取り忘れ記録媒体に関する情報を前記複数の自動改札装置のうち所定の自動改札装置に伝送する第２の伝送手段と、
この第２の伝送手段によって伝送される前記該当する取り忘れ記録媒体に関する情報に基づいて前記取り忘れ記録媒体を集札している前記所定の集札部から前記該当する取り忘れ記録媒体の前までの記録媒体を別の集札部に移動させながら、前記該当する取り忘れ記録媒体を取り出して前記本体部から再排出する排出手段と、
を具備したことを特徴とする自動改札装置システム。
【請求項８】
それぞれ、所定の地区の所定の箇所に設置されるもので、ドアを有する通路を形成している本体部に通行者が利用券としての記録媒体を投入したとき、前記記録媒体の記録内容を読み取り、その読み取り結果により前記ドアを開閉して前記通行者の通過を許可または阻止すると共に、前記記録媒体のうち排出すべき記録媒体を前記本体部から排出する複数の自動改札装置と、この複数の自動改札装置を所定の地区ごとに監視する複数の係員監視盤と、この複数の係員監視盤を束ねるホストマシンとを有する自動改札装置システムにおいて、
前記複数の自動改札機の内の任意の地区の任意の自動改札機の前記本体部に前記通行者によって前記利用券としての記録媒体の投入がなされたとき、前記記録媒体の記録内容を読み取る読取手段と、
前記本体部から排出された前記排出すべき記録媒体を前記通行者が取り忘れたとき、前記排出すべき記録媒体を取り忘れ記録媒体として所定の集札部に集札する集札手段と、
前記集札手段による前記所定の集札部への前記取り忘れ記録媒体に対する集札処理の発生を検知する検知手段と、
この検知手段によって前記取り忘れ記録媒体に対する集札処理の発生が検知されたとき、前記読取手段によって読み取られた前記取り忘れ記録媒体の記録内容を前記係員監視盤に伝送する第１の伝送手段と、
この第１の伝送手段によって伝送される前記取り忘れ記録媒体の記録内容を前記係員監視盤を介して前記ホストマシンに伝送する第２の伝送手段と、
前記取り忘れ記録媒体に対する取り忘れ申告があったとき、前記係員監視盤を介して前記ホストマシンに照会することにより、前記ホストマシンから伝送される前記取り忘れ記録媒体の記録内容に基づいて該当する取り忘れ記録媒体の所在を確認する確認手段と、
を具備したことを特徴とする自動改札装置システム。
【請求項９】
それぞれ、所定の地区の所定の箇所に設置されるもので、ドアを有する通路を形成している本体部に通行者が利用券としての記録媒体を投入したとき、前記記録媒体の記録内容を読み取り、その読み取り結果により前記ドアを開閉して前記通行者の通過を許可または阻止すると共に、前記記録媒体のうち排出すべき記録媒体を前記本体部から排出する複数の自動改札装置と、この複数の自動改札装置を所定の地区ごとに監視する複数の係員監視盤と、この複数の係員監視盤を束ねるホストマシンとを有する自動改札装置システムにおいて、
前記複数の自動改札機の内の任意の地区の任意の自動改札機の前記本体部に前記通行者によって前記利用券としての記録媒体の投入がなされたとき、読取手段によって前記記録媒体の記録内容を読み取るステップと、
前記本体部から排出された前記排出すべき記録媒体を前記通行者が取り忘れたとき、前記排出すべき記録媒体を取り忘れ記録媒体として所定の集札部に集札するステップと、
前記所定の集札部への前記取り忘れ記録媒体に対する集札処理の発生を検知するステップと、
前記取り忘れ記録媒体に対する集札処理の発生が検知されたとき、前記読取手段によって読み取られた前記取り忘れ記録媒体の記録内容を前記係員監視盤に伝送するステップと、
この伝送される前記取り忘れ記録媒体の記録内容を前記係員監視盤を介して前記ホストマシンに伝送するステップと、
前記取り忘れ記録媒体に対する取り忘れ申告があったとき、前記係員監視盤を介して前記ホストマシンに照会することにより、前記ホストマシンから伝送される前記取り忘れ記録媒体の記録内容に基づいて該当する取り忘れ記録媒体の所在を確認する確認手段と、
を具備したことを特徴とする自動改札装置システムの制御方法。
【発明の詳細な説明】
【０００１】
【発明の属する技術分野】
本発明は、例えば、鉄道施設等の自動改札装置に係り、特に、その利用券としての記録媒体である乗車券や定期券等の取り忘れ券を容易に処理することができる機能を備えた自動改札装置システム及びその制御方法に関する。
【０００２】
【従来の技術】
周知のように、鉄道施設等の自動改（集）札装置は、ドアを有する通路を形成している本体部に通行者が利用券としての記録媒体を提示したとき、前記記録媒体の記録内容を読み取り、その読み取り結果により前記ドアを開閉して前記通行者の通過を許可または阻止するように構成されている。
【０００３】
ところで、従来、この種の鉄道施設等の自動改札装置においては、乗客が取り忘れた定期券・乗車券等を自動的に取り忘れと判断して通常の集札箱の他に用意されている別集札箱に収納するようになっている。
【０００４】
そして、乗客が定期券・乗車券等の取り忘れに気づきそれを取りに来たとき、係員が自動改札装置のところまで出向き、別集札箱に収納されている定期券・乗車券等の取り出し操作を行わなければならなかった。
【０００５】
この場合、乗客が取り忘れた自動改札装置の号機が分からないときは、全ての号機を検索しなければならず操作が面倒であった。
【０００６】
【発明が解決しようとする課題】
上記したように、従来の自動改札装置は、乗客が取り忘れた定期券・乗車券等を自動的に取り忘れと判断して通常の集札箱の他に用意されている別集札箱に収納するようになっているが、乗客が定期券・乗車券等の取り忘れに気づきそれを取りに来たとき、係員が自動改札装置のところまで出向き、別集札箱に収納されている定期券・乗車券等の取り出し操作を行わなければならないと共に、乗客が取り忘れた自動改札装置の号機が分からないときは、全ての号機を検索しなければならず、操作が面倒であるという問題を有していた。
【０００７】
本発明は、以上のような点に鑑みてなされたもので、利用券としての記録媒体である乗車券や定期券等の取り忘れ券を容易に処理することができる機能を備えた自動改札装置システム及びその制御方法を提供することを目的とする。
【０００８】
【課題を解決するための手段】
本発明によると、上記課題を解決するために、ドアを有する通路を形成している本体部に通行者が利用券としての記録媒体を投入したとき、前記記録媒体の記録内容を読み取り、その読み取り結果により前記ドアを開閉して前記通行者の通過を許可または阻止すると共に、前記記録媒体のうち排出すべき記録媒体を前記本体部から排出する自動改札装置システムにおいて、前記本体部に前記通行者によって前記利用券としての記録媒体の投入がなされたとき、前記記録媒体の記録内容を読み取る読取手段と、前記本体部から排出された前記排出すべき記録媒体を前記通行者が取り忘れたとき、前記排出すべき記録媒体を取り忘れ記録媒体として所定の集札部に集札する集札手段と、前記集札手段による前記所定の集札部への前記取り忘れ記録媒体に対する集札処理の発生を検知する検知手段と、この検知手段によって前記取り忘れ記録媒体に対する集札処理の発生が検知されたとき、前記読取手段によって読み取られた前記取り忘れ記録媒体の記録内容を記憶する記憶手段と、前記取り忘れ記録媒体に対する取り忘れ申告があったとき、前記記憶手段に記憶されている前記取り忘れ記録媒体の記録内容に基づいて該当する取り忘れ記録媒体を検索する検索手段と、この検索手段によって検索された該当する取り忘れ記録媒体に関する情報に基づいて前記取り忘れ記録媒体を集札している前記所定の集札部から前記該当する取り忘れ記録媒体を取り出して前記本体部から再排出する排出手段とを具備したことを特徴とする自動改札装置システムが提供される。
【０００９】
また、本発明によると、上記課題を解決するために、ドアを有する通路を形成している本体部に通行者が利用券としての記録媒体を投入したとき、前記記録媒体の記録内容を読み取り、その読み取り結果により前記ドアを開閉して前記通行者の通過を許可または阻止すると共に、前記記録媒体のうち排出すべき記録媒体を前記本体部から排出する自動改札装置システムにおいて、前記本体部に前記通行者によって前記利用券としての記録媒体の投入がなされたとき、前記記録媒体の記録内容を読み取る読取手段と、前記本体部から排出された前記排出すべき記録媒体を前記通行者が取り忘れたとき、前記排出すべき記録媒体を取り忘れ記録媒体として所定の集札部に集札する集札手段と、前記集札手段による前記所定の集札部への前記取り忘れ記録媒体に対する集札処理の発生を検知する検知手段と、この検知手段によって前記取り忘れ記録媒体に対する集札処理の発生が検知されたとき、前記読取手段によって読み取られた前記取り忘れ記録媒体の記録内容を記憶する記憶手段と、前記取り忘れ記録媒体に対する取り忘れ申告があったとき、前記記憶手段に記憶されている前記取り忘れ記録媒体の記録内容を時系列形式として表示する表示手段と、この表示手段によって時系列形式として表示される前記取り忘れ記録媒体の記録内容に基づいて該当する取り忘れ記録媒体を検索する検索手段と、この検索手段によって検索された該当する取り忘れ記録媒体に関する情報に基づいて前記取り忘れ記録媒体を集札している前記所定の集札部から前記該当する取り忘れ記録媒体を取り出して前記本体部から再排出する排出手段とを具備したことを特徴とする自動改札装置システムが提供される。
【００１０】
また、本発明によると、上記課題を解決するために、ドアを有する通路を形成している本体部に通行者が利用券としての記録媒体を投入したとき、前記記録媒体の記録内容を読み取り、その読み取り結果により前記ドアを開閉して前記通行者の通過を許可または阻止すると共に、前記記録媒体のうち排出すべき記録媒体を前記本体部から排出する自動改札装置システムにおいて、前記本体部に前記通行者によって前記利用券としての記録媒体の投入がなされたとき、前記記録媒体の記録内容を読み取る読取手段と、前記本体部から排出された前記排出すべき記録媒体を前記通行者が取り忘れたとき、前記排出すべき記録媒体を取り忘れ記録媒体として所定の集札部に集札する集札手段と、前記集札手段による前記所定の集札部への前記取り忘れ記録媒体に対する集札処理の発生を検知する検知手段と、この検知手段によって前記取り忘れ記録媒体に対する集札処理の発生が検知されたとき、前記読取手段によって読み取られた前記取り忘れ記録媒体の記録内容を記憶する記憶手段と、前記取り忘れ記録媒体に対する取り忘れ申告があったとき、前記記憶手段に記憶されている前記取り忘れ記録媒体の記録内容を時系列形式として係員に表示する係員用表示手段と、前記取り忘れ記録媒体に対する取り忘れ申告があったとき、前記記憶手段に記憶されている前記取り忘れ記録媒体の記録内容を時系列形式として前記通行者に表示する通行者用表示手段と、前記係員用表示手段及び前記通行者用表示手段によって時系列形式として表示される少なくとも一方の前記取り忘れ記録媒体の記録内容に基づいて該当する取り忘れ記録媒体を検索する検索手段と、この検索手段によって検索された該当する取り忘れ記録媒体に関する情報に基づいて前記取り忘れ記録媒体を集札している前記所定の集札部から前記該当する取り忘れ記録媒体を取り出して前記本体部から再排出する排出手段とを具備したことを特徴とする自動改札装置システムが提供される。
【００１１】
また、本発明によると、上記課題を解決するために、それぞれ、ドアを有する通路を形成している本体部に通行者が利用券としての記録媒体を投入したとき、前記記録媒体の記録内容を読み取り、その読み取り結果により前記ドアを開閉して前記通行者の通過を許可または阻止すると共に、前記記録媒体のうち排出すべき記録媒体を前記本体部から排出する複数の自動改札装置と、この複数の自動改札装置を監視する係員監視盤とを有する自動改札装置システムにおいて、前記本体部に前記通行者によって前記利用券としての記録媒体の投入がなされたとき、前記記録媒体の記録内容を読み取る読取手段と、前記本体部から排出された前記排出すべき記録媒体を前記通行者が取り忘れたとき、前記排出すべき記録媒体を取り忘れ記録媒体として所定の集札部に集札する集札手段と、前記集札手段による前記所定の集札部への前記取り忘れ記録媒体に対する集札処理の発生を検知する検知手段と、この検知手段によって前記取り忘れ記録媒体に対する集札処理の発生が検知されたとき、前記読取手段によって読み取られた前記取り忘れ記録媒体の記録内容を前記係員監視盤に伝送する第１の伝送手段と、この第１の伝送手段によって伝送される前記取り忘れ記録媒体の記録内容を記憶する記憶手段と、前記取り忘れ記録媒体に対する取り忘れ申告があったとき、前記記憶手段に記憶されている前記取り忘れ記録媒体の記録内容に基づいて該当する取り忘れ記録媒体を検索する検索手段と、この検索手段によって検索された該当する取り忘れ記録媒体に関する情報を前記複数の自動改札装置のうち所定の自動改札装置に伝送する第２の伝送手段と、この第２の伝送手段によって伝送される前記該当する取り忘れ記録媒体に関する情報に基づいて前記取り忘れ記録媒体を集札している前記所定の集札部から前記該当する取り忘れ記録媒体を取り出して前記本体部から再排出する排出手段とを具備したことを特徴とする自動改札装置システムが提供される。
【００１２】
また、本発明によると、上記課題を解決するために、それぞれ、ドアを有する通路を形成している本体部に通行者が利用券としての記録媒体を投入したとき、前記記録媒体の記録内容を読み取り、その読み取り結果により前記ドアを開閉して前記通行者の通過を許可または阻止すると共に、前記記録媒体のうち排出すべき記録媒体を前記本体部から排出する複数の自動改札装置と、この複数の自動改札装置を監視する係員監視盤とを有する自動改札装置システムにおいて、前記本体部に前記通行者によって前記利用券としての記録媒体の投入がなされたとき、前記記録媒体の記録内容を読み取る読取手段と、前記本体部から排出された前記排出すべき記録媒体を前記通行者が取り忘れたとき、前記排出すべき記録媒体を取り忘れ記録媒体として所定の集札部に集札する集札手段と、前記集札手段による前記所定の集札部への前記取り忘れ記録媒体に対する集札処理の発生を検知する検知手段と、この検知手段によって前記取り忘れ記録媒体に対する集札処理の発生が検知されたとき、前記読取手段によって読み取られた前記取り忘れ記録媒体の記録内容を前記係員監視盤に伝送する第１の伝送手段と、この第１の伝送手段によって伝送される前記取り忘れ記録媒体の記録内容を記憶する記憶手段と、前記取り忘れ記録媒体に対する取り忘れ申告があったとき、前記記憶手段に記憶されている前記取り忘れ記録媒体の記録内容に基づいて該当する取り忘れ記録媒体を検索する検索手段と、この検索手段によって検索された該当する取り忘れ記録媒体に関する情報を前記複数の自動改札装置のうち所定の自動改札装置に伝送する第２の伝送手段と、この第２の伝送手段によって伝送される前記該当する取り忘れ記録媒体に関する情報に基づいて前記取り忘れ記録媒体を集札している前記所定の集札部から前記該当する取り忘れ記録媒体の前までの記録媒体を別の集札部に移動させながら、前記該当する取り忘れ記録媒体を取り出して前記本体部から再排出する排出手段とを具備したことを特徴とする自動改札装置システムが提供される。
【００１３】
また、本発明によると、上記課題を解決するために、それぞれ、ドアを有する通路を形成している本体部に通行者が利用券としての記録媒体を投入したとき、前記記録媒体の記録内容を読み取り、その読み取り結果により前記ドアを開閉して前記通行者の通過を許可または阻止すると共に、前記記録媒体のうち排出すべき記録媒体を前記本体部から排出する複数の自動改札装置と、この複数の自動改札装置を監視する係員監視盤とを有する自動改札装置システムにおいて、前記本体部に前記通行者によって前記利用券としての記録媒体の投入がなされたとき、前記記録媒体の記録内容を読み取る読取手段と、前記本体部から排出された前記排出すべき記録媒体を前記通行者が取り忘れたとき、前記排出すべき記録媒体を取り忘れ記録媒体として所定の集札部に集札する集札手段と、前記集札手段による前記所定の集札部への前記取り忘れ記録媒体に対する集札処理の発生を検知する検知手段と、この検知手段によって前記取り忘れ記録媒体に対する集札処理の発生が検知されたとき、前記読取手段によって読み取られた前記取り忘れ記録媒体の記録内容を前記係員監視盤に伝送する第１の伝送手段と、この第１の伝送手段によって伝送される前記取り忘れ記録媒体の記録内容を記憶する記憶手段と、前記取り忘れ記録媒体に対する取り忘れ申告があったとき、前記記憶手段に記憶されている前記取り忘れ記録媒体の記録内容を時系列形式として表示する表示手段と、この表示手段によって時系列形式として表示される前記取り忘れ記録媒体の記録内容に基づいて該当する取り忘れ記録媒体を検索する検索手段と、この検索手段によって検索された該当する取り忘れ記録媒体に関する情報を前記複数の自動改札装置のうち所定の自動改札装置に伝送する第２の伝送手段と、この第２の伝送手段によって伝送される前記該当する取り忘れ記録媒体に関する情報に基づいて前記取り忘れ記録媒体を集札している前記所定の集札部から前記該当する取り忘れ記録媒体の前までの記録媒体を別の集札部に移動させながら、前記該当する取り忘れ記録媒体を取り出して前記本体部から再排出する排出手段とを具備したことを特徴とする自動改札装置システムが提供される。
【００１４】
また、本発明によると、上記課題を解決するために、それぞれ、ドアを有する通路を形成している本体部に通行者が利用券としての記録媒体を投入したとき、前記記録媒体の記録内容を読み取り、その読み取り結果により前記ドアを開閉して前記通行者の通過を許可または阻止すると共に、前記記録媒体のうち排出すべき記録媒体を前記本体部から排出する複数の自動改札装置と、この複数の自動改札装置を監視する係員監視盤とを有する自動改札装置システムにおいて、前記本体部に前記通行者によって前記利用券としての記録媒体の投入がなされたとき、前記記録媒体の記録内容を読み取る読取手段と、前記本体部から排出された前記排出すべき記録媒体を前記通行者が取り忘れたとき、前記排出すべき記録媒体を取り忘れ記録媒体として所定の集札部に集札する集札手段と、前記集札手段による前記所定の集札部への前記取り忘れ記録媒体に対する集札処理の発生を検知する検知手段と、この検知手段によって前記取り忘れ記録媒体に対する集札処理の発生が検知されたとき、前記読取手段によって読み取られた前記取り忘れ記録媒体の記録内容を前記係員監視盤に伝送する第１の伝送手段と、この第１の伝送手段によって伝送される前記取り忘れ記録媒体の記録内容を記憶する記憶手段と、前記取り忘れ記録媒体に対する取り忘れ申告があったとき、前記記憶手段に記憶されている前記取り忘れ記録媒体の記録内容を時系列形式として係員に表示する係員用表示手段と、前記取り忘れ記録媒体に対する取り忘れ申告があったとき、前記記憶手段に記憶されている前記取り忘れ記録媒体の記録内容を時系列形式として前記通行者に表示する通行者用表示手段と、前記係員用表示手段及び前記通行者用表示手段によって時系列形式として表示される少なくとも一方の前記取り忘れ記録媒体の記録内容に基づいて該当する取り忘れ記録媒体を検索する検索手段と、この検索手段によって検索された該当する取り忘れ記録媒体に関する情報を前記複数の自動改札装置のうち所定の自動改札装置に伝送する第２の伝送手段と、この第２の伝送手段によって伝送される前記該当する取り忘れ記録媒体に関する情報に基づいて前記取り忘れ記録媒体を集札している前記所定の集札部から前記該当する取り忘れ記録媒体の前までの記録媒体を別の集札部に移動させながら、前記該当する取り忘れ記録媒体を取り出して前記本体部から再排出する排出手段とを具備したことを特徴とする自動改札装置システムが提供される。
【００１５】
また、本発明によると、上記課題を解決するために、それぞれ、所定の地区の所定の箇所に設置されるもので、ドアを有する通路を形成している本体部に通行者が利用券としての記録媒体を投入したとき、前記記録媒体の記録内容を読み取り、その読み取り結果により前記ドアを開閉して前記通行者の通過を許可または阻止すると共に、前記記録媒体のうち排出すべき記録媒体を前記本体部から排出する複数の自動改札装置と、この複数の自動改札装置を所定の地区ごとに監視する複数の係員監視盤と、この複数の係員監視盤を束ねるホストマシンとを有する自動改札装置システムにおいて、前記複数の自動改札機の内の任意の地区の任意の自動改札機の前記本体部に前記通行者によって前記利用券としての記録媒体の投入がなされたとき、読取手段によって前記記録媒体の記録内容を読み取るステップと、前記本体部から排出された前記排出すべき記録媒体を前記通行者が取り忘れたとき、前記排出すべき記録媒体を取り忘れ記録媒体として所定の集札部に集札するステップと、前記所定の集札部への前記取り忘れ記録媒体に対する集札処理の発生を検知するステップと、前記取り忘れ記録媒体に対する集札処理の発生が検知されたとき、前記読取手段によって読み取られた前記取り忘れ記録媒体の記録内容を前記係員監視盤に伝送するステップと、この伝送される前記取り忘れ記録媒体の記録内容を前記係員監視盤を介して前記ホストマシンに伝送するステップと、前記取り忘れ記録媒体に対する取り忘れ申告があったとき、前記係員監視盤を介して前記ホストマシンに照会することにより、前記前記ホストマシンから伝送される前記取り忘れ記録媒体の記録内容に基づいて該当する取り忘れ記録媒体の所在を確認する確認手段とを具備したことを特徴とする自動改札装置システムの制御方法が提供される。
【００１６】
【発明の実施の形態】
以下、本発明の一実施の形態について図面を参照して説明する。
【００１７】
図１は、本発明における駅務機器としての自動改札装置を含むシステム構成図である。
【００１８】
すなわち、このシステム構成においては、自動改札装置の設置コーナー毎に群管理される複数の自動改札装置１１と、この複数の自動改札装置１１に伝送ライン１４を介して接続されることにより、群管理される複数の自動改札装置１１の全体を監視する係員監視盤１２及びこの係員監視盤１２の付属機器としての客用表示器２１４とにより構成されている。
【００１９】
ここで、複数の自動改札装置１１と、係員監視盤１２との間では相互通信によるリアルタイムでデータ伝送が可能なようになっている。
【００２０】
図２は、複数の自動改札装置１１の搬送部の構成図である。
【００２１】
すなわち、この搬送部の構成においては、定期券・乗車券等の利用券としての記録媒体を投入する投入口１と、該投入口１から投入された定期券・乗車券等の利用券としての記録媒体を搬送する搬送路２と、該搬送路２に沿って配置され搬送路２により搬送される定期券・乗車券等の利用券としての記録媒体の記録内容を読みとる磁気リードヘッド３と、同じく搬送路２により搬送される定期券・乗車券等の利用券としての記録媒体の磁気書き換えを行う磁気ライトヘッド４と、同じく搬送路２により搬送される定期券・乗車券等の利用券としての記録媒体の磁気書き換えの確認を行う磁気ベリファイヘッド５と、同じく搬送路２により搬送される定期券・乗車券等の利用券としての記録媒体のうち取り忘れ券・降車誤り券等を集札する第１の別集札箱６と、該第１の別集札箱６に集札された取り忘れ券・降車誤り券等を一時的に取り込んで収納することができるようにした第２の別集札箱７と、同じく搬送路２により搬送される定期券・乗車券等の利用券のうち通常の利用済みの定期券・乗車券等を収納する集札箱８と、同じく搬送路２により搬送される定期券・乗車券等の利用券のうち排出対象券を排出する取り出し口９とを有して構成されている。
【００２２】
なお、上記第１の別集札箱６は、搬送路２により搬送される定期券・乗車券等の利用券としての記録媒体のうち取り忘れ券・降車誤り券等を集札する際に、取り忘れ券・降車誤り券等が整列された形で入り、後述するように係員監視盤１２からの指令に応じて所定枚数の取り忘れ券・降車誤り券等を制御部１０１及び駆動部１０２を介して蹴り出しが可能として収納することができるように構成されている。
【００２３】
この場合、第１の別集札箱６から蹴り出された所定枚数の取り忘れ券・降車誤り券等は、制御部１０１及び駆動部１０２を介して、前述したように、第２の別集札箱７に一時的に取り込んで収納することができるように構成されている。
【００２４】
また、自動改札装置は、図示しないドアを有する通路を形成している本体部に通行者が利用券としての記録媒体を提示したとき、前記磁気リードヘッド３によって記録媒体の記録内容を読み取り、制御部１０１によるその読み取り結果に応じて駆動部１０２により前記ドアを開閉して前記通行者の通過を許可または阻止するように構成されている。
【００２５】
また、自動改札装置は、前記磁気リードヘッド３による記録媒体の記録内容の読み取り結果により、制御部１０１によるその読み取り結果に応じて駆動部１０２を介して搬送路２により搬送される定期券・乗車券等の利用券のうち通常の利用済みの定期券・乗車券等を集札箱８に集札するように構成されている。
【００２６】
また、自動改札装置は、前記磁気リードヘッド３によって記録媒体の記録内容の読み取り、制御部１０１によるその読み取り結果に応じて駆動部１０２を介して搬送路２により搬送される定期券・乗車券等の利用券のうち排出対象券を取り出し口９に排出するように構成されている。
【００２７】
また、自動改札装置は、排出対象券を取り出し口９に排出してから、所定時間が経過しても、それが利用客によって引き抜かれない場合には、センサ１０を介して制御部１０１により取り忘れ券であると判定してそれを駆動部１０２により第１の別集札箱６に集札するように構成されている。
【００２８】
また、自動改札装置は、前記磁気リードヘッド３による記録媒体の記録内容の読み取り結果により、制御部１０１によるその読み取り結果に応じて駆動部１０２を介して搬送路２により搬送される定期券・乗車券等の利用券のうち降車誤り券を第１の別集札箱６に集札するように構成されている。
【００２９】
そして、本発明では、上述したような自動改札装置のシステム構成及び搬送路構成において、乗客がある号機の自動改札装置１１の搬送部の投入口１から投入した定期券・乗車券等の利用券としての記録媒体の取り忘れに気づきそれを取りに来たとき、従来のように、係員が自動改札装置のところまで出向き、別集札箱に収納されている定期券・乗車券等の取り出し操作を行うことなく、係員監視盤１２及びこの係員監視盤１２の付属機器としての客用表示器２１４とにより、該当券を取り出し口９に排出することができるようになっている。
【００３０】
なお、これは、係員が自動改札装置のところまで出向き、別集札箱に収納されている定期券・乗車券等の取り出し操作を行うことを禁止するものではなく、係員の余裕があればその状況により必要に応じて係員による取り出し操作を行うようにしてもよい。
【００３１】
以下、係員監視盤１２及びこの係員監視盤１２の付属機器としての客用表示器２１４とにより、主として取り忘れ券を対象として係員監視盤１２から指定された該当券を自動改札装置１１の取り出し口９に排出するときの動作について説明する。
【００３２】
まず、係員は、乗客がある号機の自動改札装置１１の搬送部の投入口１から投入した定期券・乗車券等の利用券としての記録媒体の取り忘れに気づきそれを取りに来たときに、係員監視盤１２から自動改札装置１１に対し、投入口１からの券投入を中止するように指令すると共に、ドアを閉じて人が通れない状態とするように指令する。
【００３３】
次に、自動改札装置１１では、係員監視盤１２からの指令に応じて通常動作待機状態を一時的に停止すると共に、係員監視盤１２から指定された取り忘れ券・降車誤り券等の券番号までの所定枚数の取り忘れ券・降車誤り券等を第１の別集札箱６から第２の別集札箱７に向けて、順次、送り出し搬送を行う。
【００３４】
そして、自動改札装置１１では、該当の券の順番になった時点で搬送先を変えて、それを第１の別集札箱６から取り出し口９に向けて搬送させるようにしたものである。
【００３５】
図３は、係員監視盤１２のブロック構成図である。
【００３６】
すなわち、図３に示すように、係員監視盤１２は、全体を制御するＣＰＵ１２１と、自動改札装置１１から通知される別集札情報・取り出し情報等を記憶するメモリ２１２と、自動改札装置１１との間で相互通信を行う伝送制御部２１３と、自動改札装置１１の第１の別集札箱６に入った券を選択する時に、利用客にもそれを見せるようにした客用表示器２１４と、利用客側でも表示された券を選択することができるように客用表示器２１４に付属したタッチパネル２１５と、係員に表示するディスプレイ２１６と、係員が操作するタッチパネル２１７及びキーボード２１８とにより構成されている。
【００３７】
この場合、係員による操作は、タッチパネル２１７とキーボード２１８とを組み合わせるようにしたが、ディスプレイ２１６の画面上にキーボードを表示してキーボードの代用を行えるようにすれば、キーボードは付属していなくてもよいものとする。
【００３８】
図４は、係員監視盤１２のディスプレイ２１６及び必要に応じて客用表示器２１４とに表示される第１の別集札箱６に入った取り忘れ券・降車誤り券等の一覧表を例示したものである。
【００３９】
図４に示す一覧表において、上部左側のＮｏ．は第１の別集札箱６に入った券の一連番号であり、以下自動改札装置１１の号機名、第１の別集札箱６に収納を行った取り忘れ券・降車誤り券等の券種別及びその券に付随した詳細情報が時系列に表示されるようになっている。
【００４０】
また、図４に示す一覧表おいて、下部右側には多数該当券のある場合の絞り込みのためのキー（号機：該当号機を数字で投入する、券種別：定期券か乗車券か、年齢：何歳以下か等）欄が表示されるようになっている。
【００４１】
なお、このキー条件については図示の例に限定したものではなく、他にも該当券の絞り込みを行うことができるようなキーがあれば、それらを付加して表示させるようにしてもよいものとする。
【００４２】
ここで、係員が、ある号機の自動改札装置１１の搬送部の投入口１から投入した定期券・乗車券等の利用券としての記録媒体の取り忘れに気づきそれを取りに来た乗客よりの申告に従って係員監視盤１２のディスプレイ２１６に、図４に示すような第１の別集札箱６に入った券の一覧表を表示させ、その表示に基づいてタッチパネル２１７やキーボード２１８によりカーソルを移動させて該当券の選択決定処理を行う。
【００４３】
この場合、必要に応じて客用表示器２１４にも、図４に示すような第１の別集札箱６に入った券の一覧表を表示させ、その表示に基づいて、乗客側で該当券が見つかったときには、タッチパネル２１５により選択してもらうようにしてもよい。
【００４４】
図５及び図６は、それぞれ自動改札装置１１及び係員監視盤１２の動作をフローチャートで示したものである。
【００４５】
まず、図５に示すように、自動改札装置１１側の動作は、別集札箱に関係する動作以外を行っているときは、通常動作待機状態により、通常の判定処理を繰り返している（ステップ１）。
【００４６】
しかるに、自動改札装置１１側の動作として割り込み処理等により、取り忘れ券・降車誤り券等による券の取り忘れまたは降車誤りであると判定した場合には、別集札処理が発生したことを検知する（ステップ２）。
【００４７】
このような別集札処理が発生したことを検知したら、自動改札装置１１は、その券の内容を係員監視盤１２に対して伝送ラインを通じてデータ送信を行う（ステップ３）。
【００４８】
次に、自動改札装置１１側では、人手で別集札箱に入った券を取り出した場合（ステップ４）、自動改札装置１１には券が残っていないことを係員監視盤１２に対して伝送ラインを通じてデータ送信を行う（ステップ５）。
【００４９】
また、係員監視盤１２から伝送ラインを通じてデータ送信により、別集札箱に入った券の排出指令を受けたら（ステップ６）、自動改札装置１１は、投入口１からの券投入を中止すると共に、ドアを閉じて人が通れない状態とすることにより、通常動作待機状態を一時的に停止する（ステップ７）。
【００５０】
そして、自動改札装置１１は、通常動作待機状態を一時的に停止した時点で、係員監視盤１２から指定される該当券の検索処理に入り（ステップ８）、該当券が見つかったらそれを取り出し口９から排出する（ステップ９）。
【００５１】
取り出し口９から排出した券が抜き取られたら（ステップ１０）、自動改札装置１１は、また通常動作に移行する。
【００５２】
なお、本処理では自動改札装置１１により、単に、該当券を排出するようにしたが、排出された券の内容を自動改札装置１１の図示しないディスプレイに表示させるようにしてもよい。
【００５３】
また、自動改札装置１１側で該当券排出が完了した時点で、係員監視盤１２に対して伝送ラインを通じてデータ送信を行うことにより、係員監視盤１２のディスプレイ２１６に、該当券排出が完了した旨を表示させるようにしてもよい。
【００５４】
次に、図６に示すように、係員監視盤１２側の機能は、自動改札装置１１側からのデータ受信と操作を待ち（ステップ１１）、係員監視盤１２での操作があったら（ステップ１２）、該当券選択モードに入り券選択を行う（ステップ１３）、該当券選択が確定したら、自動改札装置１１側に対してデータ送信を行う（ステップ１４）、この送信が完了したら再度、操作待ちとなる。
【００５５】
次に、自動改札装置１１側からのデータ受信では、受信したデータの種別を解析し（ステップ１５）、その解析結果が券取り出しコマンドであったら、該当号機分のデータのクリアを行う（ステップ１６）。
【００５６】
また、その解析結果が券別集札であったら、時系列でデータを蓄積していくようにする（ステップ１７）。
【００５７】
以上、本発明によれば係員の操作を軽減し、利用客へのサービス向上につながる駅務システムを構築することができる。
【００５８】
さらに、図７に示すように、上述した自動改札装置１１及び係員監視盤１２の上位機種としてホストマシン７５１によるセンターシステムを接続することにより、全駅（地域ごとの複数の駅を含む）を対象とした取り忘れ券検索システムを構築することができるので、利用客に対して自動改札機を使用した駅のみに限らず、それ以外の駅であっても取り忘れ券の所在を明確にすることができるようになる。
【００５９】
図７は、本発明が適用される全駅（地域ごとの複数の駅を含む）を対象とした取り忘れ券検索システムの構成を示すブロック図である。
【００６０】
すなわち、この全駅を対象とした取り忘れ券検索システムは、各駅に設置される１号機からＮ号機までの複数の自動改札機７１１、７１２、…７１Ｎと、これらの複数の自動改札機７１１、７１２、…７１Ｎに対してデータ通信回線７２１、７２２、…を介して接続される各駅の係員監視盤７３１、７３２、…と、これらの係員監視盤７３１、７３２、…の付属機器としての客用表示器７３１ａ、７３２ａ、…と、各駅の係員監視盤７３１、７３２、…に対してデータ通信回線７４１、７４２、…を介して接続されるホストマシン７５１とによって構成されている。
【００６１】
なお、各駅における複数の自動改札機７１１、７１２、…７１Ｎは、それぞれ上述の図２に示したような構成を有していると共に、ドア７１１ａ、７１２ａ、…７１Ｎａを有する通路７１１ｂ、７１２ｂ、…７１Ｎｂを形成している本体部７１１ｃ、７１２ｃ、…７１Ｎｃに、通行者が利用券としての記録媒体を提示したとき、前記記録媒体の記録内容を読み取り、その読み取り結果により前記ドア７１１ａ、７１２ａ、…７１Ｎａを開閉して前記通行者の通過を許可または阻止する構成となっている。
【００６２】
また、各駅の係員監視盤７３１、７３２、…は、それぞれ上述の図３に示したような構成を有していると共に、各駅の自動改札機７１１、７１２、…７１Ｎにおける第１の別集札箱６に入った券の一覧表に関するデータをホストマシン７５１にデータ通信回線７４１、７４２、…を介して送信する構成となっている。
【００６３】
このような構成において、ホストマシン７５１がデータ通信回線７４１、７４２、…を介して各駅の係員監視盤７３１、７３２、…から、上述の図４に示したような各駅の自動改札機７１１、７１２、…７１Ｎにおける第１の別集札箱６に入った券の一覧表に関するデータを吸い上げておき、取り忘れ券に関する利用客の申告に応じて各駅の係員監視盤７３１、７３２、…との相互通信によって各駅の係員監視盤７３１、７３２、…からホストマシン７５１に照会して各駅の自動改札機７１１、７１２、…７１Ｎにおける第１の別集札箱６に入った券の一覧表に関するデータのうち必要な範囲の検索を実行することにより、利用客に対して自動改札機を使用した駅のみに限らず、それ以外の駅であっても取り忘れ券の所在を明確にすることができるようになる。
【００６４】
この後、利用客は、取り忘れ券の存在している駅で、上述したようにして、その取り忘れ券を取り戻すことが可能となる。
【００６５】
【発明の効果】
以上詳述したように、この発明によれば、利用券としての記録媒体である乗車券や定期券等の取り忘れ券を容易に処理することができる機能を備えた自動改札装置及びその制御方法を提供することができる。
【図面の簡単な説明】
【図１】図１は、本発明における駅務機器としての自動改札装置を含むシステム構成図を示す概略的なブロック図である。
【図２】図２は、複数の自動改札装置１１の搬送部の構成を示す概略的な構成説明図である。
【図３】図３は、係員監視盤１２の構成を示す概略的なブロック構成図である。
【図４】図４は、係員監視盤１２のディスプレイ２１６及び必要に応じて客用表示器２１４とに表示される第２の別集札箱７に入った券の一覧表の一例を示したものである。
【図５】図５は、自動改札装置１１の動作を示すフローチャートである。
【図６】図６は、係員監視盤１２の動作を示すフローチャートである。
【図７】図７は、本発明が適用される全駅を対象とした取り忘れ券検索システムの構成を示す概略的なブロック図である。
【符号の説明】
１１…自動改札装置、
１２…係員監視盤、
１４…伝送ライン、
１…投入口、
２…搬送路、
３…磁気リードヘッド、
４…磁気ライトヘッド、
５…磁気ベリファイヘッド、
６…第１の別集札箱、
７…第２の別集札箱、
８…集札箱、
９…取り出し口、
１０…センサ、
１０１…制御部、
１０２…駆動部、
１２１…ＣＰＵ、
２１２…メモリ、
２１３…伝送制御部、
２１４…客用表示器、
２１５…タッチパネル、
２１６…ディスプレイ、
２１７…タッチパネル、
２１８…キーボード、
７１１、７１２、…７１Ｎ…自動改札機、
７２１、７２２、……データ通信回線、
７３１、７３２、……係員監視盤、
７４１、７４２、……データ通信回線、
７５１…ホストマシン７５１。
７１１ａ、７１２ａ、…７１Ｎａ…ドア、
７１１ｂ、７１２ｂ、…７１Ｎｂ…通路、
７１１ｃ、７１２ｃ、…７１Ｎｃ…本体部。
【図１】
0004068201.tif 000002
【図２】
0004068201.tif 000003
【図３】
0004068201.tif 000004
【図４】
0004068201.tif 000005
【図５】
0004068201.tif 000006
【図６】
0004068201.tif 000007
【図７】
0004068201.tif 000008